(57)【特許請求の範囲】
【請求項１】
操作用のモニタとして機能する主表示器と他の情報を表示するための小型表示器とを有し、撮影用の小型カメラをケーシング本体に一体的に備えた撮影機能付携帯情報機器であって、
前記ケーシング本体に前記小型表示器と前記小型カメラを隣接して配備すると共に、前記小型表示器と前記小型カメラのレンズ部分を同時に覆うことが可能な面積を備えたシールド部材を設け、このシールド部材を、前記小型表示器と前記小型カメラのレンズを同時に覆うレンズ保護位置と、前記小型表示器のみを覆うレンズ開放位置との間で移動可能として前記ケーシング本体に設置したことを特徴とする撮影機能付携帯情報機器。
【請求項２】
前記シールド部材は、少なくとも、前記レンズ保護位置にある状態で前記小型表示器と重合する部分が透明または半透明に形成され、かつ、前記小型カメラのレンズと重合する部分が実質的に不透明に形成されていることを特徴とする請求項１記載の撮影機能付携帯情報機器。
【請求項３】
前記シールド部材が透明または半透明の合成樹脂によって一体に成形され、前記レンズ保護位置にある状態で前記小型表示器と重合する部分を除いて印刷またはメッキもしくは蒸着処理によって不透明化されていることを特徴とする請求項１記載の撮影機能付携帯情報機器。
【請求項４】
前記シールド部材を前記レンズ開放位置から前記レンズ保護位置に向けて定常的に付勢する付勢手段を備えたことを特徴とする請求項１，請求項２または請求項３記載の撮影機能付携帯情報機器。
【請求項５】
前記シールド部材を前記付勢手段の付勢力に抗して前記レンズ開放位置に保持するための手動操作部を、前記ケーシング本体において、前記小型表示器および小型カメラを配備した面と同じ側の面に配備したことを特徴とする請求項４記載の撮影機能付携帯情報機器。
【発明の詳細な説明】
【０００１】
【発明の属する技術分野】
本発明は、携帯電話等を始めとする撮影機能付携帯情報機器の改良に関する。
【０００２】
【従来の技術】
携帯電話等を始めとする携帯情報機器の分野では、機能の多機能化が進み、操作用のモニタとして機能する主表示器の他に、携帯電話等を折り畳んだ状態でも現在時刻等の情報の確認が可能な小型表示器や、静止画像あるいは動画（ムービー）等を取り込むための小型カメラを一体的に備えた物の割合が増えつつある。
【０００３】
小型カメラのレンズ部分には光学特性向上のためのコーティングが施され、その表面がデリケートであって油分の付着や傷の発生等を嫌うため、これを保護するためのレンズキャップやレンズ保護用のシャッタ構造等が必要となる。
【０００４】
【発明が解決しようとする課題】
特に、携帯電話等においては、装置の機能のみならず操作性や外観デザインも重要視されるため、ケーシング本体と違和感なく一体化したレンズ保護用のシャッタ構造を配備することが一般に行われるが、このため、携帯電話等を構成するための部品点数も増大し、製造コストが割高となるといった弊害が生じる。
【０００５】
また、これとは別に、携帯電話等と一体に配備された小型カメラが不正な目的で使用されるといったことが往々にしてあり、問題となっている。
【０００６】
つまり、携帯電話等の携帯情報機器の使用目的は本来は通信にあり、これをカメラとして使用したとしても、第三者が其の場の状況から其の携帯電話等が通信目的で使用されているのか撮影目的で使用されているのかを特定することは困難であり、例えば、撮影禁止の場所で不正な撮影が行われたり、あるいは、個人のプライバシーを保護する必要があるような状況下で心無い撮影が行われたりするといった可能性があることも否定はできない。
【０００７】
【発明の目的】
本発明は前述のような問題を鑑みてなされたものであり、その目的とするところは、小型カメラを備えた携帯情報機器の部品点数を削減し、撮影機能付携帯情報機器のコストダウンを図ることにある。
【０００８】
また、撮影機能付携帯情報機器の使用目的が通信目的にあるのか撮影目的にあるのかを携帯情報機器の態様に基いて第三者が容易に識別することが可能な撮影機能付携帯情報機器を提供することも其の目的の一部である。
【０００９】
【課題を解決するための手段】
本発明は、操作用のモニタとして機能する主表示器と他の情報を表示するための小型表示器とを有し、撮影用の小型カメラをケーシング本体に一体的に備えた撮影機能付携帯情報機器であり、前記目的を達成するため、特に、ケーシング本体に小型表示器と小型カメラを隣接して配備すると共に、小型表示器と小型カメラのレンズ部分を同時に覆うことが可能な面積を備えたシールド部材を設け、このシールド部材を、小型表示器と小型カメラのレンズを同時に覆うレンズ保護位置と、小型表示器のみを覆うレンズ開放位置との間で移動可能としてケーシング本体に設置したことを特徴とする構成を有する。
【００１０】
小型表示器と小型カメラを隣接して配備することにより、ＬＣＤ等の小型表示器の表面を保護するために従来から必要とされていたシールド部材の一部を使って小型カメラのレンズ部分を保護することが可能となった。従って、小型カメラのレンズ部分を保護するための専用のレンズキャップや保護用シャッタ機構等を改めて配備する必要はなく、部品点数の削減、および、構成部材の取り付けに関連する作業工程の簡略化によって撮影機能付携帯情報機器のコストダウンが実現される。
しかも、シールド部材は、小型表示器と小型カメラのレンズを同時に覆うレンズ保護位置と、小型表示器のみを覆うレンズ開放位置との間で移動可能とされており、小型カメラを撮影のために使用する場合には、シールド部材をレンズ保護位置からレンズ開放位置に移動させなければならない。このように、小型カメラを撮影のために使用する場合とそうでない場合とでは撮影機能付携帯情報機器の態様、具体的には、シールド部材の位置が相違するので、第三者は、其の時点における撮影機能付携帯情報機器の使用目的が通信目的にあるのか撮影目的にあるのかを識別することが可能となり、撮影禁止場所での不正な撮影行為やプライバシーの保護に反する心無い撮影等に対して注意を促すことができるようになる。
【００１１】
ここで、このシールド部材は、少なくとも、レンズ保護位置にある状態で小型表示器と重合する部分が透明または半透明に形成され、かつ、レンズ保護位置にある状態で小型カメラのレンズと重合する部分が実質的に不透明に形成されていることが望ましい。
【００１２】
このように、レンズ保護位置にある状態で小型表示器と重合する部分を透明または半透明に形成することで、少なくとも、撮影目的以外の使用状況下で小型表示器に表示される現在時刻等の情報を確実に認識することができる。また、小型カメラのレンズと重合する部分を実質的に不透明に形成することで、シールド部材をレンズ保護位置にセットした使用状態、要するに、通信を目的とした通常の使用状態のままでの撮影行為が完全に防止される。
つまり、シールド部材をレンズ開放位置に移動させることが撮影の際の必須の要件となるので、通信を装った隠し撮り等の不正行為を的確に識別することが可能となる。
シールド部材がレンズ保護位置にある状態を検出して電気的に小型カメラの機能を停止させるといったことも技術的には可能であるが、このように、シールド部材を遮光手段として利用して撮影を禁止することで、極めて安価に小型カメラの不正使用を禁止することが可能である。
【００１３】
また、シールド部材を透明または半透明の合成樹脂によって一体に成形し、レンズ保護位置にある状態で小型表示器と重合する部分を除いて印刷またはメッキもしくは蒸着処理等で不透明化するようにしてもよい。
【００１４】
前記と同様、通信を装った隠し撮り等の不正行為の識別に有効であり、この場合、更に、小型表示器と重合する部分を除くシールド部材の全域に亘って印刷またはメッキもしくは蒸着処理等を施すようにしているので、シールド部材とケーシング本体とを同色系として一体感を増すことが可能であり、また、必要とあれば様々な加飾をシールド部材に施すことも可能である。
【００１５】
更に、シールド部材をレンズ開放位置からレンズ保護位置に向けて定常的に付勢する付勢手段を設けるようにしてもよい。
【００１６】
このような構成を適用した場合、撮影が終了するとシールド部材が自動的にレンズ保護位置に戻されるので、シールド部材の閉め忘れによって生じるレンズ表面の損傷や埃の侵入を確実に防止することができる。
【００１７】
付勢手段を設けた場合は、更に、シールド部材をレンズ開放位置に保持するための手動操作部をケーシング本体において小型表示器および小型カメラと同じ側の面に配備することが望ましい。
【００１８】
前記と同様、撮影終了後のシールド部材の閉め忘れに有効であり、この場合、更に、撮影に際しては、小型カメラのレンズを装着した面と同じ側の面で手動操作部を操作してシールド部材をレンズ開放位置に保持しておくことが必須の要件となる。
つまり、小型カメラを撮影に使用する場合には、其の利用者は、必ず、被写体の側から見える位置で手動操作部を操作しなければならず、被写体の側から撮影機能付携帯情報機器を見れば、この撮影機能付携帯情報機器が撮影の為に利用されていることは一目瞭然である。これにより、小型カメラの不正使用のうち、特に、隠し撮り等の心無い撮影を識別することが一層容易となる。
【００１９】
【発明の実施の形態】
以下、図面を参照して本発明の実施形態について詳細に説明する。図１は、撮影機能付携帯情報機器の一種である携帯電話のケーシング本体の一部を取り出して、小型表示器１と小型カメラ２、および、これらの構成要素を保護するためのシールド部材３の取付構造を示した斜視図である。
【００２０】
この構造は、図６（ａ）および図６（ｂ）に示されるようなストレート型の携帯電話１０１、図７（ａ）および図７（ｂ）に示されるような折畳型の携帯電話１０２、あるいは、図８（ａ）および図８（ｂ）に示されるようなスライド型の携帯電話１０３の何れに対しても適用することが可能である。
【００２１】
ストレート型の携帯電話とは、例えば、図６（ａ）のように、略直方体のケーシング本体の表面１０１ａに操作用のモニタとして機能する主表示器１０４とテンキーその他からなる主操作部１０５を配置した携帯電話のことであり、また、折畳型の携帯電話とは、図７（ａ）のように、中折れ式のケーシング本体の一方１０２Ａに主表示器１０４を配備して他方のケーシング本体１０２Ｂに主操作部１０５を配置した携帯電話のことである。また、スライド型の携帯電話とは、図８（ａ）のように、テレスコピックに伸縮可能なケーシング本体１０３Ａ，１０３Ｂを内外に重合して備え、その一方のケーシング本体１０３Ａに主表示器１０４を配備して他方のケーシング本体１０３Ｂに主操作部１０５を配置した携帯電話のことである。
【００２２】
ここでは、一例として、図７（ａ）および図７（ｂ）に示されるような折畳型の携帯電話１０２に対して本実施形態の取付構造を適用した場合について説明する。
【００２３】
図７（ａ）および図７（ｂ）に示されるような折畳型の携帯電話１０２においては、主表示器１０４と主操作部１０５を対面させてケーシング本体１０２Ａとケーシング本体１０２Ｂを折り畳んだ状態で携帯するのが一般的である。
【００２４】
従って、ケーシング本体１０２Ａの背面側を構成するケーシング本体背面構成部材１０６ｂの面に現在時刻等の情報を知らせるための小型表示器１を配備し、ケーシング本体１０２Ａ，１０２Ｂの折り畳み時における時刻表示等を可能とすると都合がよい。また、ケーシング本体１０２Ａの表面側を形成するケーシング本体表面構成部材１０６ａの面に配備された主表示器１０４をカメラのファインダに代わる撮影用モニタとして利用することから、小型カメラ２も、ケーシング本体背面構成部材１０６ｂの側に設置した方が具合がよい。つまり、小型表示器１と小型カメラ２は、ケーシング本体背面構成部材１０６ｂの同一面に隣接して配備することができる。
【００２５】
図１は、ケーシング本体背面構成部材１０６ｂに対する小型表示器１と小型カメラ２の取付構造をケーシング本体１０２Ａの内側から示した斜視図である。
【００２６】
液晶表示板等で構成される小型表示器１と小型カメラ２は、小型表示器１および小型カメラ２を内嵌する略矩形状の装着孔４，５を備えた取付部材６を介してケーシング本体１０２Ａ内のプリント基板７に裏面側から取り付けられ、同時に、プリント基板７上の回路と電気的に接続される。
【００２７】
プリント基板７の上面には更に前述の主表示器１０４が重合して取り付けられるが、図１では主表示器１０４の記載は省略している。
【００２８】
一方、ケーシング本体背面構成部材１０６ｂの側には、ケーシング本体１０２Ａ内に略矩形状に突出して取付部材６の下面と面一の状態で当接するポケット加工部８が形成される。
【００２９】
ポケット加工部８の略中央部には、小型表示器１の表示状態を外部から確認するための窓とシールド部材３の装着口とを兼ねる略矩形状の開口部９が穿設され、この開口部９の両側にポケット加工部８の底面部８ａと底面部８ｂが残されている。そして、この底面部８ａ上には、小型カメラ２による撮影を可能とするための小窓１０が穿設されている。
【００３０】
また、開口部９の左右に位置するポケット加工部８の側壁１１，１１には、矩形状の切欠部１２，１２が左右対象に形成され、更に、底面部８ｂの端部には、所定の間隔を空けて２つの切欠部１３，１３を備えたストッパプレート１４が底面部８ｂと一体に立設されている。
【００３１】
図２は、ケーシング本体背面構成部材１０６ｂの外側からポケット加工部８を示した斜視図である。
【００３２】
シールド部材３は、図１に示されるように、取付部材６上に隣接して配備された小型表示器１の表示面と小型カメラ２のレンズ部分とを同時に覆うことが可能な面積を有する平板状の本体部１５と、この本体部１５の裏面から左右両側に突出する略Ｌ字型の摺動子１６，１６、ならびに、本体部１５から裏面側に突出して外側に屈折した断面略Ｌ字型の取付板１７と、この取付板１７の端部両側に所定の間隔を空けて突設された２つの柱状突起１８，１８とによって一体に構成され、更に、図３に示されるように、本体部１５の表面側の一側には、手動操作部として機能するノッチ１９が本体部１５と一体に成形されている。
【００３３】
シールド部材３は、通常、射出成形金型を利用して一体成形され、その素材としては、身の回りの物品との衝突や落下の際の耐衝撃性、および、印刷，メッキ，蒸着処理等の表面加工の容易さの点から、透明または半透明のポリカーボネート樹脂やアクリル樹脂等の使用が望ましい。
【００３４】
次に、図１を参照してシールド部材３の取り付け構造について説明する。まず、シールド部材３の柱状突起１８，１８に付勢手段として機能するコイルスプリング２０，２０を遊嵌状態で環装して取り付け、シールド部材３の本体部１５の先端部１５ａをケーシング本体背面構成部材１０６ｂの開口部９に裏面側から斜めに突入させ、シールド部材３の摺動子１６，１６を、案内溝として機能する側壁１１，１１の切欠部１２，１２に係合させる。
【００３５】
更に、シールド部材３における本体部１５の先端部１５ａを底面部８ａの下面側に潜り込ませ、次いで、本体部１５を弾性変形させて全体としての寸法を僅かに縮めた状態で、本体部１５の他端部１５ｂを底面部８ｂの下面側に潜り込ませる。
【００３６】
この際、柱状突起１８，１８に環装されたコイルスプリング２０，２０を圧縮して取付板１７の側に移動させた状態で柱状突起１８，１８をストッパプレート１４の矩形状切欠部１３，１３に遊嵌させることで、コイルスプリング２０，２０の一端を取付板１７によって、また、コイルスプリング２０，２０の他端をストッパプレート１４によって支持させるようにする。
【００３７】
図１に示されるように、シールド部材３の本体部１５における他端部１５ｂから摺動子１６，１６までの長さ（Ｄ）は、開口部９の長さ（ｄ）に比べて僅かに長めに形成されているが、本体部１５を弾性変形させて反り返らせるか、あるいは、ケーシング本体背面構成部材１０６ｂの側を弾性変形させて開口部９を開くことによって本体部１５の他端部１５ｂを底面部８ｂの下面側に潜り込ませることが可能である。これにより、シールド部材３が不用意にケーシング本体背面構成部材１０６ｂの内側に脱落するといった問題も防止される。
【００３８】
また、ケーシング本体背面構成部材１０６ｂの外側へのシールド部材３の脱落は、シールド部材３の摺動子１６，１６と案内溝として機能する側壁１１，１１側の切欠部１２，１２との係合、および、シールド部材３の取付板１７とポケット加工部８の底面部８ｂとの係合によって防止される。
【００３９】
摺動子１６，１６は、側壁１１，１１の上縁部に面一の状態で当接する取付部材６の下面側外周部と切欠部１２，１２の溝底との間で摺動自在に保持されるので、シールド部材３に不用意なガタツキが生じるといった心配もない。
【００４０】
ケーシング本体背面構成部材１０６ｂの開口部９に対するシールド部材３の取り付けが完了した状態を図４の斜視図に示す。
【００４１】
切欠部１２，１２の溝幅は摺動子１６，１６の径に比べて十分に長めに形成されているので、ケーシング本体背面構成部材１０６ｂに対するシールド部材３の摺動は自在であり、同時に、ストッパプレート１４と取付板１７とで両端を支持されたコイルスプリング２０，２０が図４中の矢印Ａ方向に向けて定常的にシールド部材３を付勢しているため、シールド部材３に外力を与えない状態では、図４に示されるように、本体部１５の先端部１５ａがポケット加工部８の底面部８ａと完全に重合して撮影用の小窓１０を塞いだ状態が維持されることになる。
【００４２】
シールド部材３の本体部１５は、図４のようにして先端部１５ａが底面部８ａの小窓１０を覆うレンズ保護位置にある状態で小型表示器１と重合する部分１５ｃが透明または半透明のままとされ、この部分１５ｃを除く他の部分に対しては、印刷，メッキ，蒸着処理等によって着色の加飾処理が施されている。但し、本体部１５において遮光を目的とする着色処理が本質的に必要とされるのは小窓１０と重合する部分１５ｄのみでよく、他の部分は、単なるデザイン上の加飾処理であるから、透明または半透明のままとしても機能上の問題はない。
【００４３】
図５は、コイルスプリング２０，２０の付勢力に抗してシールド部材３を矢印Ｂ方向のレンズ開放位置に移動させ、シールド部材３の本体部１５が小型表示器１の表示部のみを覆うようにした状態を示した斜視図である。
【００４４】
１５ｃの部分を除く本体部１５の全体に印刷，メッキ，蒸着処理等を施した場合では、図５のようにシールド部材３がレンズ開放位置にある状態で本体部１５の着色部が小型表示器１の表示面の一部を覆う場合があるが、図５の態様は撮影時のものであり、利用者は主表示器１０４をカメラのファインダに代わる撮影用モニタとして利用しているので、小型表示器１が見え難くても何ら問題はない。
【００４５】
次に、携帯電話１０２の使用態様について説明する。まず、この携帯電話１０２が通信目的にも撮影目的にも使用されていないとき、例えば、携帯等においては、主表示器１０４と主操作部１０５を対面させてケーシング本体１０２Ａとケーシング本体１０２Ｂが折り畳まれている。
【００４６】
このとき、コイルスプリング２０，２０で付勢されたシールド部材３は図４に示されるようなレンズ保護位置にあり、本体部１５の先端部１５ａがポケット加工部８の底面部８ａと完全に重合して撮影用の小窓１０を塞いでいるので、利用者がポケットの中等で不注意に携帯電話１０２に触れても小型カメラ２のレンズ部分に指紋を付けたりする心配はなく、また、撮影用の小窓１０から不用意に埃が侵入したりする心配もない。
【００４７】
また、この状態では透明または半透明の部分１５ｃは小型表示器１の表示部と完全に重合した位置にあるので、利用者は、携帯電話１０２を取り出して背面部を眺めるだけで、小型表示器１に表示されている現在時刻等の情報を簡単に把握することができる。
【００４８】
携帯電話１０２を開いて通信目的に使用する場合も前述した携帯時の場合と同様、シールド部材３は図４に示されるようなレンズ保護位置にあるので、通信操作中における不注意な取り扱いで小型カメラ２のレンズ部分に指紋を付けたり、あるいは、撮影用の小窓１０から不用意に埃が侵入したりするといった心配は全くない。
【００４９】
これに対し、この携帯電話１０２を撮影目的に使用する場合には、携帯電話１０２を開いて撮影用のモニタとなる主表示器１０４を見ながら、小型カメラ２のレンズ位置に対応して設けられた小窓１０を被写体に向け、主操作部１０４を操作して撮影を行うか、あるいは、いわゆるノーファインダ撮影のように、携帯電話１０２を顔から離した状態で小窓１０を概ね被写体に向け、主操作部１０４を操作して撮影を行うことになる。
【００５０】
どのような撮影方法を適用するにしろ、この実施形態の携帯電話１０２においては、シールド部材３に外力を与えない状態では、図４の矢印Ａに示されるように、シールド部材３がレンズ開放位置からレンズ保護位置に向けて定常的に付勢され、本体部１５の先端部１５ａがポケット加工部８の底面部８ａと完全に重合して撮影用の小窓１０を塞ぐ構造となっているため、利用者は、自らの指で手動操作部となるノッチ１９を操作し、コイルスプリング２０，２０の付勢力に抗してシールド部材３を図５のレンズ開放位置にまで移動させ、更に、撮影が終わるまでの間、その状態を保持する必要がある。
【００５１】
この時、利用者は、携帯電話１０２を把持しながらノッチ１９を操作する必要上、必然的に人差指または中指が携帯電話１０２の裏面側に回り込んでノッチ１９を引き下げる独特なスタイルとなり、被写体側から見れば、例え、ノーファインダ撮影の手法を利用しているとしても、撮影行為が行われていることは一目瞭然である。
【００５２】
シールド部材３をレンズ開放位置に移動させるための手動操作部となるノッチ１９は携帯電話１０２の裏面側、つまり、小型カメラ２を配備した側の面と同じ面に設けられているので、携帯電話１０２の利用者が被写体から隠れて撮影に必要とされる操作、つまり、ノッチ１９の押し下げ操作を行うことは非常に困難である。
【００５３】
従って、撮影禁止場所での撮影あるいはプライバシーを保護する必要があるような状況下での心無い撮影が行われようとした場合であっても、被写体となった人物あるいは第三者が撮影行為を察知するのは容易であり、必要とあれば、携帯電話１０２の利用者に撮影禁止の警告を行ったり、あるいは、小型カメラ２の撮影可能範囲から被写体である人物が身を引いたりすることも可能となる。
【００５４】
いずれにしろ、他人に迷惑をかけない通常の撮影であれば、携帯電話１０２の利用者は、周囲を気にする必要はなく、単に、人差指または中指でノッチ１９を操作してシールド部材３を開くだけで簡単に撮影操作を行うことができる。
【００５５】
撮影終了後にノッチ１９から指を離せば、スプリング２０，２０の付勢力によってシールド部材３が自動的にレンズ保護位置に復帰するので、シールド部材３の閉め忘れによって小型カメラ２のレンズ部分の汚れや埃の侵入といった問題が発生することはない。
【００５６】
以上、一実施形態について詳細に説明したが、図１〜図５を参照して開示した構成は、図６（ａ）および図６（ｂ）に示されるようなストレート型の携帯電話１０１や図８（ａ）および図８（ｂ）に示されるようなスライド型の携帯電話１０３に対しても容易に転用することが可能である。
【００５７】
また、小型表示器１や小型カメラ２の配置およびシールド部材３の摺動子１６や案内溝となる切欠部１２，１２の形状および配置、更には、シールド部材３をレンズ開放位置からレンズ開放位置に向けて付勢する付勢手段の構造に関しては携帯電話の主要部の構造等に応じて任意に設計変更が可能である。
【００５８】
また、この実施形態では、シールド部材３をレンズ開放位置に移動させた状態で小型カメラ２の撮影に用いる小窓１０からシールド部材３が完全に退避する構成を採用しているが、シールド部材３を構成する素材の光学特性が十分に優れていれば、本体部１５の先端部１５ａを延長してプロテクションフィルタを兼ねる透明な平行平面部分を形成しておき、シールド部材３をレンズ開放位置に移動させた状態でプロテクションフィルタの部分が小窓１０を覆う構成であっても構わない。
【００５９】
また、シールド部材３をレンズ開放位置に移動させたときに点灯する発光ダイオード等を小窓１０と併設するようにすれば、撮影禁止場所での撮影をより効果的に防止することも可能である。
【００６０】
【発明の効果】
本発明の撮影機能付携帯情報機器は、ケーシング本体に小型表示器と小型カメラを隣接して配備し、小型表示器と小型カメラのレンズ部分を同時に覆うことが可能な面積を備えたシールド部材を設け、このシールド部材を、小型表示器と小型カメラのレンズを同時に覆うレンズ保護位置と小型表示器のみを覆うレンズ開放位置との間で移動可能としたので、ＬＣＤ等の小型表示器の表面を保護するために従来から必要とされていたシールド部材の一部を使って小型カメラのレンズ部分を保護することが可能となった。従って、小型カメラのレンズ部分を保護するための専用のレンズキャップや保護用シャッタ機構等を改めて配備する必要がなく、部品点数の削減、および、構成部材の取り付けに関連する作業工程の簡略化によって撮影機能付携帯情報機器のコストダウンが実現される。
しかも、シールド部材は、小型表示器と小型カメラのレンズを同時に覆うレンズ保護位置と、小型表示器のみを覆うレンズ開放位置との間で移動可能とされており、小型カメラを撮影のために使用する場合には、シールド部材をレンズ保護位置からレンズ開放位置に移動させなければならないので、小型カメラを撮影のために使用する場合とそうでない場合とでは撮影機能付携帯情報機器の態様、つまり、シールド部材の位置が相違し、第三者は、其の時点における撮影機能付携帯情報機器の使用目的が通信目的にあるのか撮影目的にあるのかを容易に識別することが可能となり、撮影禁止場所での不正な撮影行為やプライバシーの保護に反する心無い撮影等に対して注意を促すことができるようになる。
【００６１】
また、シールド部材は、レンズ保護位置にある状態で小型表示器と重合する部分が透明または半透明に形成され、かつ、レンズ保護位置にある状態で小型カメラのレンズと重合する部分が実質的に不透明に形成されているので、シールド部材をレンズ保護位置にセットした通常の使用状態のままでの撮影行為を完全に防止することができる。
【００６２】
更に、シールド部材を透明または半透明の合成樹脂によって一体に成形し、レンズ保護位置にある状態で小型表示器と重合する部分を除いて印刷またはメッキもしくは蒸着処理等で不透明化するようにすれば、シールド部材とケーシング本体とを同色系として一体感を増すことが可能であり、また、必要とあれば様々な加飾をシールド部材に施すことも可能である。
【００６３】
また、シールド部材をレンズ開放位置からレンズ保護位置に向けて定常的に付勢する付勢手段を設けるようにしたので、撮影が終了した時点でシールド部材を自動的にレンズ保護位置に戻すことが可能となり、シールド部材の閉め忘れによって生じるレンズ表面の損傷や埃の侵入を確実に防止することができるようになった。
【００６４】
しかも、シールド部材をレンズ開放位置に保持するための手動操作部はケーシング本体において小型カメラと同じ側の面に配備するようにしているので、撮影に際しては、小型カメラのレンズを装着した面と同じ側の面、つまり、被写体の側から見える面で手動操作部を操作してシールド部材をレンズ開放位置に保持しておかなければならず、被写体の意思を無視した隠し撮り等の心無い撮影を行うことが困難となる。
【図面の簡単な説明】
【図１】本発明を携帯電話に適用した場合の一実施形態のシールド部材取付構造を示した斜視図である。
【図２】シールド部材取付構造の一部を構成するポケット加工部を外側から見たときの形状を示した斜視図である。
【図３】シールド部材を外側から見たときの形状を示した斜視図である。
【図４】シールド部材がレンズ保護位置にある状態を示した斜視図である。
【図５】シールド部材がレンズ開放位置にある状態を示した斜視図である。
【図６】同実施形態のシールド部材取付構造をストレート型の携帯電話に適用した場合の外観について示した斜視図である。
【図７】同実施形態のシールド部材取付構造を折畳型の携帯電話に適用した場合の外観について示した斜視図である。
【図８】同実施形態のシールド部材取付構造をスライド型の携帯電話に適用した場合の外観について示した斜視図である。
【符号の説明】
１  小型表示器
２  小型カメラ
３  シールド部材
４，５  装着孔
６  取付部材
７  プリント基板
８  ポケット加工部
８ａ，８ｂ  底面部
９  開口部
１０  小窓
１１  側壁
１２  切欠部
１３  矩形状切欠部
１４  ストッパプレート
１５  本体部
１５ａ  先端部
１５ｂ  他端部
１５ｃ  レンズ保護位置において小型表示器と重合するシールド部材の部分
１５ｄ  レンズ保護位置においてレンズと重合するシールド部材の部分
１６  摺動子
１７  取付板
１８  柱状突起
１９  ノッチ（手動操作部）
２０  コイルスプリング（付勢手段）
１０１  ストレート型の携帯電話
１０１ａ  ケーシング本体の表面
１０２  折畳型の携帯電話
１０２Ａ  一方のケーシング本体
１０２Ｂ  他方のケーシング本体
１０３  スライド型の携帯電話
１０３Ａ  外側のケーシング本体
１０３Ｂ  内側のケーシング本体
１０４  主表示器
１０５  主操作部
１０６ａ  ケーシング本体表面構成部材
１０６ｂ  ケーシング本体背面構成部材
【図１】
0004032807.tif 000002
【図２】
0004032807.tif 000003
【図３】
0004032807.tif 000004
【図４】
0004032807.tif 000005
【図５】
0004032807.tif 000006
【図６】
0004032807.tif 000007
【図７】
0004032807.tif 000008
【図８】
0004032807.tif 000009